【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
レンチキュラ画像を生成するための方法であって、
波状面および印刷面を有するレンチキュラ印刷基材をデジタル印刷機内に給送するステップと、
少なくとも１つの不透明インクを給送して前記印刷機の印刷ブランケットに実質的に不透明な層をセットするステップと、
複数の色インクを給送して前記印刷ブランケットの前記実質的に不透明な層の上にインタレース色画像層をセットするステップと、
前記印刷ブランケットにより１回の押圧操作で前記印刷面上に印刷するステップと
を含む方法。
【請求項２】
前記方法はさらに、少なくとも１つの色インクを給送して前記印刷ブランケットにレンチキュラ物品の裏画像層をセットするステップを含み、前記少なくとも１つの色インクを給送するステップは、前記レンチキュラ物品の裏画像層の上に前記実質的に不透明な層をセットするように実行される、請求項１に記載の方法。
【請求項３】
前記方法はさらに、少なくとも１つの被覆材を給送して前記印刷ブランケットの前記インタレース色画像層の上に被覆層をセットすることを含む、請求項１に記載の方法。
【請求項４】
前記複数の色インクを給送するステップは、前記印刷ブランケットの前記実質的に不透明な層の上にシアン色成分層、マゼンタ色成分層、イエロー色成分層、および黒色成分層を形成するように前記複数の色インクを給送することを含む、請求項１に記載の方法。
【請求項５】
前記複数の色インクを給送するステップは、前記印刷ブランケットの前記実質的に不透明な層の上にレッド色成分層、グリーン色成分層、およびブルー色成分層を形成するように前記複数の色インクを給送することを含む、請求項１に記載の方法。
【請求項６】
前記複数の色インクを給送するステップは、前記印刷ブランケット上に約１５度のスクリーン角度を有するシアン色のハーフトーンパターンをセットするようにシアン色インクを給送することと、前記印刷ブランケット上に約７５度のスクリーン角度を有するマゼンタ色のハーフトーンパターンをセットするようにマゼンタ色インクを給送することと、前記印刷ブランケット上に約３０度のスクリーン角度を有するイエロー色のハーフトーンパターンをセットするようにイエロー色インクを給送することと、前記印刷ブランケット上に約５２．５度のスクリーン角度を有する黒色のハーフトーンパターンをセットするように黒色インクを給送することとを含み、ここで前記スクリーン角度は、前記レンチキュラ印刷基材のレンズの長手軸に対して設定される、請求項１に記載の方法。
【請求項７】
前記複数の色インクを給送するステップは、前記印刷ブランケット上に投影されたレーザパターンの複数の歪みをマッピングすることと、前記インタレース色画像層が、前記複数の歪みに従って設定された可変位置および幅を持つ複数の画像ストリップを有するように、複数の色インクの給送を実行するための印刷命令を計算することとを含む、請求項１に記載の方法。
【請求項８】
前記レンチキュラ印刷基材は、複数のレンズを有するレンチキュラアレイである、請求項１に記載の方法。
【請求項９】
波状面および印刷面を有するレンチキュラ印刷基材と、
デジタル印刷機で前記印刷面上に印刷されたインタレース色画像と、
前記デジタル印刷機で前記インタレース色画像上に印刷された実質的に不透明な層と、
前記デジタル印刷機で前記実質的に不透明な層の上に印刷されたレンチキュラ物品裏画像と
を含むレンチキュラ物品。
【請求項１０】
前記レンチキュラ印刷基材は、１インチ当たりの線数が７５（ＬＰＩ）のピッチを有する、請求項９に記載のレンチキュラ物品。
【請求項１１】
前記方法は、複数のハーフトーン給送パターンの各々を別の複数の色インクに計算することをさらに含み、前記ハーフトーン給送パターンの各々は、どの傾き角度においてアーチファクトを低減するために前記複数の色インクの前記色からのそれぞれの色の較正画像に対して参照レンチキュラ印刷基材が取り付けられているかを測定することによって計算される、請求項１に記載の方法。
【請求項１２】
前記計算は、デフォルト参照角度から前記傾き角度を減算することをさらに含む、請求項１に記載の方法。
【請求項１３】
前記ハーフトーン給送パターンの各々は、前記レンチキュラ印刷基材と前記較正画像の間でどの傾き角度においてアーチファクトが低減されるかを測定することによって計算される、請求項１に記載の方法。
【請求項１４】
レンチキュラ画像を生成するためのデジタル印刷機であって、前記印刷機は、印刷ブランケットと、波状面および印刷面を有するレンチキュラ印刷基材を前記印刷ブランケットの前に搬送する印刷基材搬送ユニットと、前記印刷機の印刷ブランケット上に実質的に不透明な層をセットするように少なくとも１つの不透明インクを給送すると共に、前記印刷ブランケット上の前記実質的に不透明な層の上にインタレース色画像層をセットするように複数の色インクを給送するインク給送ユニットとを備え、前記印刷ブランケットは、前記インタレース色画像層および前記実質的に不透明な層を前記印刷面に印刷するために使用される、デジタル印刷機。
【請求項１５】
波状面および印刷面を有するレンチキュラ印刷基材と、約１５度、約７５度、約３０度、および約５２．５度のスクリーン角度をそれぞれ有するシアン色のハーフトーンパターン、マゼンタ色のハーフトーンパターン、イエロー色のハーフトーンパターン、および黒色のハーフトーンパターンを組み合わせたインタレース色画像とを備えたレンチキュラ画像を生成するためのレンチキュラ物品であって、前記スクリーン角度は、前記レンチキュラ印刷基材のレンズの長手軸に対して設定される、レンチキュラ物品。
【請求項１６】
レンチキュラ物品を作製するための方法であって、前記方法は、印刷ブランケットを持つ印刷機内に波状面および印刷面を有するレンチキュラ印刷基材を給送するステップと、約１５度のスクリーン角度を有するシアン色のハーフトーンパターンを前記印刷ブランケットにセットするようにシアン色インクを給送するステップと、約７５度のスクリーン角度を有するマゼンタ色のハーフトーンパターンを前記印刷ブランケットにセットするようにマゼンタ色インクを給送するステップと、約３０度のスクリーン角度を有するイエロー色のハーフトーンパターンを前記印刷ブランケットにセットするようにイエロー色インクを給送するステップと、約５２．５度のスクリーン角度を有する黒色のハーフトーンパターンを前記印刷ブランケットにセットするように黒色インクを給送するステップとを含み、前記スクリーン角度は、前記レンチキュラ印刷基材のレンズの長手軸に対して設定される、方法。
【請求項１７】
インタレース色画像を適応させるための方法であって、デジタル印刷機の印刷ブランケットに投影されたレーザパターンの複数の歪みをマッピングするステップと、複数のレンズに適応された複数の画像ストリップおよび前記複数の歪みに従って設定された可変幅を持つインタレース色画像を、前記複数のレンズを有するレンチキュラ印刷基材に印刷するための印刷命令を計算するステップと、前記印刷命令に従って前記インタレース色画像を印刷するために前記印刷機を使用するステップと、均一なピッチを有するレンチキュラアレイに前記インタレース色画像を付着させるステップとを含む方法。
【請求項１８】
均一なピッチを持つ波状面および裏面を有するレンチキュラ印刷基材と、インタレース色画像を印刷するのに使用される印刷機の印刷ブランケットに投影されたレーザパターンの複数の歪みに従って選択される様々な位置および幅を持つ複数の画像ストリップを有するインタレース色画像とを有する、レンチキュラ物品であって、前記インタレース色画像は前記裏面に付着される、レンチキュラ物品。